(57)【特許請求の範囲】
【請求項１】
第１乃至第４の配線と、
第１乃至第３のトランジスタと、
第１及び第２の表示素子と、を有し、
前記第１のトランジスタのゲートは、前記第１の配線と電気的に接続され、
前記第１のトランジスタのソース及びドレインの一方は、前記第２の配線と電気的に接続され、
前記第１のトランジスタのソース及びドレインの他方は、前記第２のトランジスタのゲート及び前記第３のトランジスタのゲートと電気的に接続され、
前記第２のトランジスタのソース及びドレインの一方は、前記第１の表示素子と電気的に接続され、
前記第２のトランジスタのソース及びドレインの他方は、前記第３の配線と電気的に接続され、
前記第３のトランジスタのソース及びドレインの一方は、前記第２の表示素子と電気的に接続され、
前記第３のトランジスタのソース及びドレインの他方は、前記第４の配線と電気的に接続され、
前記第１の表示素子及び前記第２の表示素子は直列に接続され、
前記第１の配線は、前記第１のトランジスタのゲートに選択信号を供給することができる機能を有し、
前記第２の配線は、前記第１のトランジスタのソース及びドレインの一方に映像信号を供給することができる機能を有し、
前記第３の配線は、前記第２のトランジスタに流れる電流を供給することができる機能を有し、
前記第４の配線は、前記第３のトランジスタに流れる電流を供給することができる機能を有し、
前記第１及び第２の表示素子の一方は、白色発光することができることを特徴とする表示装置。
【請求項２】
第１乃至第５の配線と、
第１乃至第３のトランジスタと、
第１及び第２の表示素子と、
容量素子と、を有し、
前記第１のトランジスタのゲートは、前記第１の配線と電気的に接続され、
前記第１のトランジスタのソース及びドレインの一方は、前記第２の配線と電気的に接続され、
前記第１のトランジスタのソース及びドレインの他方は、前記第２のトランジスタのゲート、前記第３のトランジスタのゲート、及び前記容量素子の一方の電極と電気的に接続され、
前記第２のトランジスタのソース及びドレインの一方は、前記第１の表示素子と電気的に接続され、
前記第２のトランジスタのソース及びドレインの他方は、前記第３の配線と電気的に接続され、
前記第３のトランジスタのソース及びドレインの一方は、前記第２の表示素子と電気的に接続され、
前記第３のトランジスタのソース及びドレインの他方は、前記第４の配線と電気的に接続され、
前記容量素子の他方の電極は、前記第５の配線と電気的に接続され、
前記第１の表示素子及び前記第２の表示素子は直列に接続され、
前記第１の配線は、前記第１のトランジスタのゲートに選択信号を供給することができる機能を有し、
前記第２の配線は、前記第１のトランジスタのソース及びドレインの一方に映像信号を供給することができる機能を有し、
前記第３の配線は、前記第２のトランジスタに流れる電流を供給することができる機能を有し、
前記第４の配線は、前記第３のトランジスタに流れる電流を供給することができる機能を有し、
前記第５の配線は、前記容量素子に電位を供給することができる機能を有し、
前記第１及び第２の表示素子の一方は、白色発光することができることを特徴とする表示装置。
【請求項３】
請求項１または２に記載の表示装置と、ＦＰＣと、を有することを特徴とする表示モジュール。
【請求項４】
請求項３に記載の表示モジュールと、スピーカーと、操作スイッチと、を有することを特徴とする電子機器。
【発明の詳細な説明】
【技術分野】
【０００１】
本発明は、発光素子からの発光を用いて表示色を形成する発光装置およびその駆動方法
に関する。
【背景技術】
【０００２】
エレクトロルミネッセンス素子（発光素子）からの発光を利用した発光装置は、広視野
角、低消費電力である。近年、発光装置の開発分野では、テレビ受像機やカーナビゲーシ
ョンを初めとする各種情報処理機器に適用される表示装置としての市場を得るべく、高品
質な画像を提供できる発光装置の研究開発が盛んに行われている。
【０００３】
ところで、発光素子の輝度は、発光時間が蓄積するに伴って次第に低下していく。また
、発光時間の蓄積に伴った輝度の低下は、高い輝度で発光させ続けたとき程顕著である。
このような輝度の低下は、特に表示装置として機能する発光装置においては、表示色の変
化を引き起こし、画質の劣化に繋がる。
【０００４】
その為、発光時間の蓄積に伴った発光輝度の低下を低減した長寿命な発光素子の開発が
進められている。例えば、特許文献１では、回復電圧を与えることによって長寿命化を達
成できる発光素子の駆動方法について開示されている。このような発光素子の長寿命化は
、高品質な画像を表示できる発光装置を得る上でも重要である。
【先行技術文献】
【特許文献】
【０００５】
【特許文献１】特開平１０−５５１５４号公報
【発明の概要】
【発明が解決しようとする課題】
【０００６】
本発明は、発光時間の蓄積、または高輝度の発光に伴った発光輝度の低下を低減できる
発光装置について提供することを課題とする。また、本発明は、発光時間の蓄積、または
高輝度の発光に伴った発光輝度の低下を低減できる駆動方法に関する。
【課題を解決するための手段】
【０００７】
本発明の発光装置の一は、発光色がそれぞれ異なる複数の発光素子からの発光が視覚的
に混合することによって明度や色度の異なる複数の表示色を得ることができる装置である
。そして、視覚的に混合された表示色を形成するときに、白色の発光を呈することを特徴
としている。
【０００８】
本発明の発光装置の一は、それぞれ異なる発光色を呈する複数の第１の発光素子と、白
色を発光する第２の発光素子とを有している。そして、本発明の発光装置を駆動させたと
き、第１の発光素子への電流の供給を制御するために設けられた第２のトランジスタへ、
共通の第１のトランジスタを介して映像信号が入力される。この映像信号によって第２の
トランジスタがオン状態またはオフ状態となる。そして、発光素子は、それぞれ異なるタ
イミングで発光状態または非発光状態となる。ここで、少なくとも一の第１の発光素子が
発光したとき、白色を発光する第２の発光素子を発光させるステップをさらに含むことを
特徴としている。
【０００９】
本発明の発光装置の一は、それぞれ異なる発光色を呈する複数の発光素子を有している
。そして、本発明の発光装置を駆動させたとき、発光素子への電流の供給を制御するため
に設けられた第２のトランジスタへ、共通の第１のトランジスタを介して映像信号が入力
される。この映像信号によって第２のトランジスタがオン状態またはオフ状態となる。そ
して、発光素子は、それぞれ異なるタイミングで発光状態または非発光状態となる。ここ
で、少なくとも一の発光素子が発光したとき、さらに、白色を呈するように少なくとも二
の発光素子を同時に発光させるステップをさらに含むことを特徴としている。
【００１０】
本発明の発光装置の一は、ゲート信号線と、ソース信号線と、ｎ（ｎは自然数、２≦ｎ
）本の電流供給線と、電源と、映像信号の入力を制御する第１のトランジスタと、電流供
給線からの電流の供給を制御するｎ個の第２のトランジスタと、発光色がそれぞれ異なる
ｎ個の第１の発光素子と、を有する。そして、第１のトランジスタにおいて、ゲート電極
はゲート信号線と電気的に接続し、第１の電極はソース信号線と電気的に接続している。
さらに、第１のトランジスタの第２の電極は第２のトランジスタのゲート電極と電気的に
接続している。ここで、ｍ（ｍは自然数、２≦ｍ≦ｎ−１）番目の前記発光素子において
、第１の電極はｍ番目の第２のトランジスタを介してｍ番目の電流供給線と電気的に接続
し、第２の電極はｍ＋１番目の第２のトランジスタを介してｍ＋１番目の電流供給線と電
気的に接続している。また、ｎ番目の発光素子において、第１の電極はｎ番目の第２のト
ランジスタを介してｎ番目の電流供給線と電気的に接続し、第２の電極は電源と電気的に
接続している。
【００１１】
本発明の発光装置の一は、発光素子の電極と発光層とが交互に積層した層を含む。本発
明の発光装置は、さらに、駆動用トランジスタと、電流供給線とを含む。ここで、発光素
子の電極は、それぞれ異なる駆動用トランジスタを介して、それぞれ異なる電流供給線に
電気的に接続していることを特徴としている。
【発明の効果】
【００１２】
本発明によって、白色の発光を呈する発光装置を得ることができる。また、白色の発光
をさせることによって、表示色の輝度を高めることができる。また、白色の発光をさせる
ことによって、画像のコントラストを向上させることができる。従って、例えば、赤色や
緑色、青色の発光素子からの発光を組み合わせて表示色を形成するときに、それぞれの発
光素子に掛かる負担を低減することができ、発光素子が長寿命化する。
【図面の簡単な説明】
【００１３】
【図１】本発明の発光装置に用いられる駆動回路の図。
【図２】本発明の発光装置の概略図。
【図３】本発明の発光装置に用いられる駆動回路の図。
【図４】本発明の発光装置の駆動方法について説明する図。
【図５】本発明の発光装置の駆動方法について説明する図。
【図６】本発明の発光装置に用いられる駆動回路の図。
【図７】本発明の発光装置の駆動方法について説明する図。
【図８】本発明の発光装置の画素部における上面図。
【図９】本発明の発光装置の画素部における断面図。
【図１０】本発明を適用した電子機器について説明する図。
【図１１】本発明の発光装置の駆動方法について説明する図。
【発明を実施するための形態】
【００１４】
以下、本発明の一態様について説明する。但し、本発明は多くの異なる態様で実施する
ことが可能であり、本発明の趣旨及びその範囲から 逸脱することなくその形態及び詳細
を様々に変更し得ることは当業者であれば容易に理解される。従って、本形態の記載内容
に限定して解釈されるものではない。
【００１５】
（実施の形態１）
本発明の発光装置の画素部に含まれる回路について、図１を用いて説明する。
【００１６】
図１は、本発明の発光装置に含まれる画素３２０の回路構成を表した図である。
スイッチング用トランジスタ３０１、駆動用トランジスタ３０２ａ、３０２ｂ、３０２
ｃ、３０２ｄは、それぞれ、ゲート電極と、ドレイン領域と、ソース領域とを含む三端子
の素子であり、ドレイン領域とソース領域の間にチャネル領域を有する。ここで、ソース
領域とドレイン領域とは、トランジスタの構造や動作条件等によって、いずれがソース領
域またはドレイン領域であるかを限定することが困難であるため、一方を第１の電極、他
方を第２の電極として表記する。ここで、スイッチング用トランジスタとは、駆動用トラ
ンジスタへの映像信号の入力を制御するトランジスタである。また、駆動用トランジスタ
とは、入力された映像信号に依って、電流供給線からの電流の供給を制御し、発光素子の
発光・非発光を決定するトランジスタである。なお、スイッチング用トランジスタ３０１
、駆動用トランジスタ３０２ａ、３０２ｂ、３０２ｃ、３０２ｄのそれぞれについて、特
に限定はなく、ＭＯＳ型トランジスタの他、有機化合物から成る半導体層を含む有機薄膜
トランジスタ等を用いることができる。また、スイッチング用トランジスタ３０１は、Ｎ
チャネル型またはＰチャネル型のいずれでも構わない。また、駆動用トランジスタ３０２
ａ、３０２ｂ、３０２ｃ、３０２ｄは、Ｎチャネル型またはＰチャネル型のいずれでも構
わないが、図１に示した例に依ると、共通の映像信号によって制御されるため、同極性で
あることが好ましい。
【００１７】
また、発光素子３０３ａ、３０３ｂ、３０３ｃ、３０３ｄは、それぞれ、二端子の素子
である。発光素子３０３ａ、３０３ｂ、３０３ｃ、３０３ｄは、それぞれ、第１の電極と
第２の電極との間に発光層を有し、第１の電極と第２の電極との間の電位差によって電流
が流れたときに発光する。なお、駆動用トランジスタ３０２ａ、３０２ｂ、３０２ｃ、３
０２ｄがＰチャネル型であるとき、発光素子３０３ａ、３０３ｂ、３０３ｃ、３０３ｄに
おいて、第１の電極は陽極として機能し、第２の電極は陰極として機能する。一方、駆動
用トランジスタ３０２ａ、３０２ｂ、３０２ｃ、３０２ｄがＮチャネル型であるとき、発
光素子３０３ａ、３０３ｂ、３０３ｃ、３０３ｄにおいて、第１の電極は陰極として機能
し、第２の電極は陽極として機能する。発光素子３０３ａ、３０３ｂ、３０３ｃ、３０３
ｄの発光色について特に限定はないが、それぞれ異なる発光色を呈することが好ましい。
また、いずれか一の発光素子が白色を呈するか、または少なくとも二の発光素子からの発
光を組み合わせて白色の発光を呈することが特に好ましい。発光素子３０３ａは、発光が
発光装置外部に取り出されたときに、赤色の発光色を呈し、発光素子３０３ｂは、発光が
発光装置外部に取り出されたときに、緑色の発光色を呈し、発光素子３０３ｃは、発光が
発光装置外部に取り出されたときに、青色の発光色を呈し、発光素子３０３ｄは、発光が
発光装置外部に取り出されたときに、白色系の発光色を呈する。ここで、赤色の発光色と
は、ＣＩＥ−ＸＹＺ表色系で表したときに、色度図のｘが０．６以上、ｙが０．３５以下
の領域に座標を有する色をいう。また、緑色の発光色とは、ＣＩＥ−ＸＹＺ表色系で表し
たときに、色度図のｘが０．３以下、ｙが０．６以上の領域に座標を有する色をいう。青
色の発光色とは、ＣＩＥ−ＸＹＺ表色系で表したときに、色度図のｘが０．１５以下、ｙ
が０．２以下の領域に座標を有する色をいう。また、白色の発光色とは、ＣＩＥ−ＸＹＺ
表色系で表したときに、色度図のｘが０．２５以上０．３５以下、ｙが０．２５以上０．
３５以下の領域、好ましくは色度図のｘが０．２８以上０．３２以下、ｙが０．２８以上
０．３２以下の領域に座標を有する色をいう。なお、ＣＩＥ−ＸＹＺ表色系とは三刺激値
Ｘ、Ｙ、Ｚに基づく表色系である。色度図は、三刺激値Ｘ、Ｙ、Ｚに基づいてｘ、ｙ座標
空間で色を表したものである。なお、色度とは、明度を除いた光の色の種別を数量的に規
定したものである。
【００１８】
スイッチング用トランジスタ３０１において、ゲート電極はゲート信号線３１１と電気
的に接続し、第１の電極はソース信号線３１２と電気的に接続している。また、発光素子
３０３ａ、３０３ｂ、３０３ｃ、３０３ｄはそれぞれ直列に接続している。そして、駆動
用トランジスタ３０２ａにおいて、第１の電極は電流供給線３１３ａと電気的に接続し、
第２の電極は発光素子３０３ａの第１の電極と電気的に接続している。駆動用トランジス
タ３０２ｂにおいて、第１の電極は電流供給線３１３ｂと電気的に接続し、第２の電極は
発光素子３０３ｂの第１の電極と電気的に接続している。また、駆動用トランジスタ３０
２ｃにおいて、第１の電極は電流供給線３１３ｃと電気的に接続し、第２の電極は発光素
子３０３ｃの第１の電極と電気的に接続している。また、駆動用トランジスタ３０２ｄに
おいて、第１の電極は電流供給線３１３ｄと電気的に接続し、第２の電極は発光素子３０
３ｄの第１の電極と電気的に接続している。なお、発光素子３０３ｄの第２の電極は、電
源３１６と電気的に接続している。駆動用トランジスタ３０２ａ、３０２ｂ、３０２ｃ、
３０２ｄのそれぞれのゲート電極は、互いに電気的に接続している。さらに、駆動用トラ
ンジスタ３０２ａ、３０２ｂ、３０２ｃ、３０２ｄのそれぞれのゲート電極と容量線３１
５との間には、容量素子３０４が設けられており、駆動用トランジスタ３０２ａ、３０２
ｂ、３０２ｃ、３０２ｄのゲート電極の電位をそれぞれ保持できるようになっている。ま
た、スイッチング用トランジスタ３０１の第２の電極は、駆動用トランジスタ３０２ａ、
３０２ｂ、３０２ｃ、３０２ｄのそれぞれのゲート電極と電気的に接続している。
【００１９】
なお、本形態では４つの発光素子が含まれた構成について説明しているが、発光素子の
個数はこれに限定されない。但し、少なくとも２つの発光素子が含まれていることが好ま
しい。また、駆動用トランジスタの個数についても特に限定はない。電流供給線の本数に
ついても特に限定はない。なお、ｎ個（ｎは２以上が好ましい）の発光素子を含むとき、
ｎ本の電流供給線と、ｎ個の駆動用トランジスタとを含むことが好ましい。そして、ｍ（
２≦ｍ≦ｎ）番目の発光素子において、第１の電極はｍ番目の電流供給線と電気的に接続
し、第２の電極はｍ＋１番目の電流供給線または電源と電気的に接続していることが好ま
しい。
【００２０】
次に、図１に示す回路の駆動方法について説明する。ゲート信号線３１１が選択される
と、スイッチング用トランジスタ３０１がＯＮ状態となり、スイッチング用トランジスタ
３０１を介してソース信号線３１２から駆動用トランジスタ３０２ａ、３０２ｂ、３０２
ｃ、３０２ｄのゲート電極へ、映像信号が入力される。ここで、スイッチング用トランジ
スタ３０１がＮチャネル型トランジスタであり、駆動用トランジスタ３０２ａ、３０２ｂ
、３０２ｃ、３０２ｄがＰチャネル型トランジスタであるとき、映像信号の電位がＬｏｗ
Ｌｅｖｅｌであれば駆動用トランジスタ３０２ａ、３０２ｂ、３０２ｃ、３０２ｄはＯ
Ｎ状態となり、映像信号がＨｉｇｈ  Ｌｅｖｅｌであれば駆動用トランジスタ３０２ａ、
３０２ｂ、３０２ｃ、３０２ｄはＯＦＦ状態となる。さらに、電流供給線３１３ａと電流
供給線３１３ｂとをそれぞれ異なる電位としたとき、発光素子３０３ａにおいて、第１の
電極と第２の電極との間に電位差が生じる。これにより、発光素子３０３ａに電流が流れ
、発光素子３０３ａは発光する。また、電流供給線３１３ｂと電流供給線３１３ｃとをそ
れぞれ異なる電位としたとき、発光素子３０３ｂにおいて第１の電極と第２の電極との間
に電位差が生じる。これにより、発光素子３０３ｂに電流が流れ、発光素子３０３ｂは発
光する。また、電流供給線３１３ｃと電流供給線３１３ｄとをそれぞれ異なる電位とした
とき、発光素子３０３ｃにおいて第１の電極と第２の電極との間に電位差が生じる。これ
により、発光素子３０３ｃに電流が流れ、発光素子３０３ｃは発光する。また、電流供給
線３１３ｄと電源３１６とをそれぞれ異なる電位としたとき、発光素子３０３ｄにおいて
第１の電極と第２の電極との間に電位差が生じる。これにより、発光素子３０３ｄに電流
が流れ、発光素子３０３ｄは発光する。
【００２１】
以上のようにして、発光素子３０３ａ、３０３ｂ、３０３ｃ、３０３ｄを発光させるこ
とができる。なお、発光素子３０３ａ、３０３ｂ、３０３ｃ、３０３ｄはそれぞれ独立に
発光・非発光を制御される。従って、例えば、電流供給線３１３ａと電流供給線３１３ｂ
とをそれぞれ異なる電位にすると共に、電流供給線３１３ｂ、３１３ｃ、３１３ｄおよび
電源３１６を等電位とし、発光素子３０３ａのみが発光するようにしてもよい。また、電
流供給線３１３ａと電流供給線３１３ｂとをそれぞれ異なる電位にすると共に、電流供給
線３１３ｂと３１３ｃ、電流供給線３１３ｃと３１３ｄ、電流供給線３１３ｄと電源３１
６をそれぞれ異なる電位とし、発光素子３０３ａ、３０３ｂ、３０３ｃ、３０３ｄが全て
発光するようにしてもよい。
【００２２】
以上に説明したような回路は、白色の発光を呈するように発光素子を駆動させることが
できる。
【００２３】
（実施の形態２）
本形態では、実施の形態１で説明した回路構成を有する画素を含む本発明の発光装置お
よびその駆動方法について説明する。
【００２４】
図２は本発明を適用した発光装置を上面からみた模式図である。図２において、点線で
示された６５１０は駆動回路部（ソース側駆動回路）、６５１１は画素部、６５１２は駆
動回路部（ゲート側駆動回路）である。画素部６５１１には本発明の発光素子が設けられ
ている。駆動回路部６５１０および６５１２は外部入力端子であるＦＰＣ６５０３と基板
６５００上に形成された配線群を介して接続している。ＦＰＣ（フレキシブルプリントサ
ーキット）６５０３からビデオ信号、クロック信号、スタート信号、リセット信号等を受
け取ることによって駆動回路部６５１０及び駆動回路部６５１２に信号が入力される。ま
たＦＰＣ６５０３にはプリント配線基盤（ＰＷＢ）６５１３が取り付けられている。駆動
回路部６５１０には、シフトレジスタ６５１５、スイッチ６５１６、メモリ（ラッチ）６
５１７，６５１８が設けられており、駆動回路部６５１２にはシフトレジスタ６５１９、
バッファ６５２０が設けられている。
【００２５】
なお、駆動回路部は、上記のように必ずしも画素部６５１１と同一基板上に設けられて
いる必要はなく、例えば、配線パターンが形成されたＦＰＣ上にＩＣチップを実装したも
の（ＴＣＰ）等を利用し、基板外部に設けられていてもよい。また、駆動回路部６５１０
、６５１２の回路構成についても上記のものに限定されず、上記と異なる機能を有する回
路がさらに設けられた構成であってもよい。
【００２６】
図３に示すように、画素部６５１１には、列方向に延びた複数のソース信号線４１２が
行方向に並んで配列している。また、電流供給線４１３ａ、４１３ｂ、４１３ｃ、４１３
ｄを一組とした電流供給線４１３が行方向に並んで配列している。また、行方向に延びた
複数のゲート信号線４１１が列方向に並んで配列している。そして、画素部６５１１には
、実施の形態１で説明したものと同様の構成の回路４２０が含まれている。ゲート信号線
４１１と、ソース信号線４１２、電流供給線４１３、電源４１６、スイッチング用トラン
ジスタ４０１、駆動用トランジスタ４０２ａ、４０２ｂ、４０２ｃ、４０２ｄ、発光素子
４０３ａ、４０３ｂ、４０３ｃ、４０３ｄとを含む回路４２０が、縦方向および横方向に
複数、配列している。なお、回路４２０には、さらに容量素子４０４が含まれていてもよ
い。回路４２０において、ゲート信号線４１１は実施の形態１におけるゲート信号線３１
１に相当し、ソース信号線４１２は実施の形態１におけるソース信号線３１２に相当し、
電流供給線４１３ａ、４１３ｂ、４１３ｃ、４１３ｄは、それぞれ、実施の形態１におけ
る電流供給線３１３ａ、３１３ｂ、３１３ｃ、３１３ｄに相当し、電源４１６は実施の形
態１における電源３１６に相当し、容量線４１５は実施の形態１における容量線３１５に
相当する。また、スイッチング用トランジスタ４０１は実施の形態１におけるスイッチン
グ用トランジスタ３０１に相当し、駆動用トランジスタ４０２ａ、４０２ｂ、４０２ｃ、
４０２ｄは、それぞれ、実施の形態１における駆動用トランジスタ３０２ａ、３０２ｂ、
３０２ｃ、３０２ｄに相当し、容量素子４０４は実施の形態１における容量素子３０４で
相当する。また、発光素子４０３ａ、４０３ｂ、４０３ｃ、４０３ｄは、それぞれ、実施
の形態１における発光素子３０３ａ、３０３ｂ、３０３ｃ、３０３ｄに相当する。
【００２７】
発光素子４０３ａ、４０３ｂ、４０３ｃ、４０３ｄのそれぞれの発光色について特に限
定はないが、いずれかひとつの発光素子は白色の発光色を呈することが好ましい。なお、
本形態では、発光素子４０３ａは、発光が発光装置外部に取り出されたときに赤色の発光
色を呈し、発光素子４０３ｂは、発光が発光装置外部に取り出されたときに緑色の発光色
を呈し、発光素子４０３ｃは、発光が発光装置外部に取り出されたときに青色の発光色を
呈し、発光素子４０３ｄは、発光が発光装置外部に取り出されたときに白色の発光色を呈
するものとする。なお、赤色、緑色、青色、白色とは、それぞれ実施の形態１で説明した
ものと同様である。
【００２８】
次に、駆動方法について説明する。図４は時間経過に伴ったフレームの動作について説
明する図である。図４において、横方向は時間経過を表し、縦方向はゲート信号線の走査
段数を表している。
【００２９】
本発明の発光装置を用いて画像表示を行うとき、表示期間においては、画面の書き換え
動作と表示動作とが繰り返し行われる。この書き換え回数について特に限定はないが、画
像をみる人がちらつき（フリッカ）を感じないように少なくとも１秒間に６０回程度とす
ることが好ましい。ここで、一画面（１フレーム）の書き換え動作と表示動作を行う期間
を１フレーム期間という。
【００３０】
１フレームは、書き込み期間５０１ａと保持期間５０１ｂ、書き込み期間５０２ａと保
持期間５０２ｂ、書き込み期間５０３ａと保持期間５０３ｂ、書き込み期間５０４ａと保
持期間５０４ｂとを含む４つのサブフレーム５０１、５０２、５０３、５０４に時分割さ
れている。
【００３１】
まず、サブフレーム５０１において、１行目から最終行まで順に書き込み動作が行われ
る。従って、行によって書き込み期間５０１ａの開始時間が異なる。書き込み期間５０１
ａが終了した後、保持期間５０１ｂへと移る。書き込み期間５０１ａにおいて発光するた
めの信号を与えられた駆動用トランジスタに接続している発光素子は、保持期間５０１ｂ
に発光層を挟む第１の電極と第２の電極との間に異なる電位が与えられたときに発光する
。本形態では、サブフレーム５０１において、発光素子４０３ａに含まれる第１の電極と
第２の電極とにそれぞれ異なる電位が与えられ、発光素子４０３ａが発光する。この時、
その他の発光素子４０３ｂ、４０３ｃ、４０３ｄのそれぞれに含まれる第１の電極と第２
の電極は等電位となるように電位が与えられている。保持期間５０１ｂ終了した後、次の
サブフレーム５０２へ移り、サブフレーム５０１の場合と同様に１行目から最終行目まで
順に書き込み動作が行われる。そして、保持期間５０２ｂにおいて発光素子４０３ｂが発
光する。サブフレーム５０２において保持期間５０２ｂが終了した後、サブフレーム５０
３へ移る。サブフレーム５０３では、発光素子４０３ｃが発光する。サブフレーム５０３
において保持期間５０３ｂが終了した後、サブフレーム５０４へ移る。サブフレーム５０
４では発光素子４０３ｄが発光する。以上のような動作を繰り返し、サブフレーム５０４
の保持期間５０４ｂ迄終了する。サブフレーム５０４における動作を終了したら次のフレ
ームへ移る。なお、本形態では、発光素子４０３ａ、４０３ｂ、４０３ｃ、４０３ｄの順
に発光させるが、発光する順について特に限定はなく、適宜順番を変えて発光させればよ
い。
【００３２】
次に、書き込み期間における画素の駆動について説明する。書き込み期間において、ｎ
行目（ｎは自然数）のゲート信号線４１１が選択され、ゲート信号線４１１に接続したス
イッチング用トランジスタ４０１がオンになる。この時、１列目から最終列目迄のソース
信号線に同時に映像信号が入力される。なお、各列のソース信号線４１２から入力される
映像信号は互いに独立したものである。ソース信号線４１２から入力された映像信号は、
各々のソース信号線に接続したスイッチング用トランジスタ４０１を介して駆動用トラン
ジスタ４０２ａ、４０２ｂ、４０２ｃ、４０２ｄのゲート電極に入力される。この時駆動
用トランジスタ４０２ａ、４０２ｂ、４０２ｃ、４０２ｄに入力された信号と、発光素子
４０３ａ、４０３ｂ、４０３ｃ、４０３ｄのそれぞれに含まれる第１の電極と第２の電極
との間の電位差に応じて発光素子４０３ａ、４０３ｂ、４０３ｃ、４０３ｄの発光・非発
光が決まる。例えば、駆動用トランジスタがＰチャネル型である場合は、Ｌｏｗ  Ｌｅｖ
ｅｌの信号が入力されることによって発光素子４０３ａ、４０３ｂ、４０３ｃ、４０３ｄ
のいずれかが発光する。一方、駆動用トランジスタがＮチャネル型である場合は、Ｈｉｇ
ｈ  Ｌｅｖｅｌの信号が入力されることによって発光素子４０３ａ、４０３ｂ、４０３ｃ
、４０３ｄのいずれかが発光する。
【００３３】
ソース信号線への書き込みが終了すると共に、ｎ行目（ｎは自然数）における書き込み
期間は終了し保持期間へと移る。次に、ｎ＋１行目が書き込み期間になり、上記と同様の
書き込み動作が行われる。以上のような動作を繰り返して１行目から最終行まで書き込み
動作が行われる。
【００３４】
以上のように、発光素子４０３ａ、４０３ｂ、４０３ｃが順に発光し、残像効果によっ
て各々の発光素子からの発光色が視覚的に混合されることによって、様々な表示色を得る
ことができる。なお、発光素子４０３ａ、４０３ｂ、４０３ｃのそれぞれの発光素子に掛
かる電圧を変えることによって輝度が調節された発光を、適宜組み合わせ、所望の表示色
を得ることができる。また、白色を呈する発光素子４０３ｄが発光することによって、表
示色の輝度が、見かけ上、高くなったように視認される。従って、発光素子４０３ａ、４
０３ｂ、４０３ｃに掛かる電圧を大きくすることによりそれぞれの発光色の輝度を高くす
る方法を用いて表示色の輝度を高くする場合よりも、発光素子４０３ａ、４０３ｂ、４０
３ｃに掛かる負担を低減することができる。その結果、発光素子４０３ａ、４０３ｂ、４
０３ｃを長寿命化することができる。また、白色を呈する発光素子４０３ｄが発光するこ
とによって、以上に説明した発光装置は、コントラストの高い画像を表示させることがで
きる。
【００３５】
なお、本実施の形態では、発光素子４０３ａ、４０３ｂ、４０３ｃの全てが発光する態
様について説明したが、これに限らず、例えば発光素子４０３ａと発光素子４０３ｂとを
発光、発光素子４０３ｃを非発光として所望の表示色を得てもよいし、または、また発光
素子４０３ａ、４０３ｂ、４０３ｃのいずれか一を発光するようにして所望の表示色を得
てもよい。また、輝度が低い表示色を得たい場合は必ずしも白色を呈する発光素子４０３
ｄを発光させる必要はなく、一連の表示動作において白色を呈する発光素子４０３ｄを発
光させるタイミング、輝度等については適宜調節すればよい。
【００３６】
（実施の形態３）
本形態では、実施の形態２で説明した本発明の発光装置の駆動方法と異なる本発明の発
光装置の駆動方法について説明する。なお、画素部の回路構成は実施の形態２で示したも
のと同様のものを用いることができるため、本形態においても図３に記載の符号を引用し
て説明する。
【００３７】
以下に、本実施例の発光装置の動作について図５（Ａ）、（Ｂ）を用いて説明する。図
５（Ａ）、（Ｂ）は時間経過に伴ったフレームの動作について説明する図である。また図
５（Ｂ）は１フレームに含まれる複数のサブフレームの中の一つの第１のサブフレームに
おける、時間経過に伴ったフレームの動作について説明する図である。図５（Ｂ）におい
て、横方向は時間経過を表し、縦方向はゲート信号線の段数を表している。
【００３８】
本実施の形態の発光装置において、１フレームは、図５（Ａ）に示すように４つの第１
のサブフレーム６０１、６０２、６０３、６０４に時分割されている。そして第１のサブ
フレーム６０１は、さらに第２のサブフレーム６１１、６１２、６１３、６１４に時分割
されている（図５（Ｂ））。また、第１のサブフレーム６０２は、さらに第２のサブフレ
ーム６２１、６２２、６２３、６２４に時分割されている（図５（Ｃ））。第２のサブフ
レーム６２１、６２２、６２３、６２４はそれぞれ書き込み期間と保持期間とを含む。ま
た、第１のサブフレーム６０３は、さらに、第２のサブフレーム６３１、６３２、６３３
、６３４に時分割されている（図１１（Ａ））。第２のサブフレーム６３１、６３２、６
３３、６３４はそれぞれ書き込み期間と保持期間とを含む。また、第１のサブフレーム６
０４は、さらに第２のサブフレーム６４１、６４２、６４３、６４４に時分割されている
（図１１（Ｂ））。第２のサブフレーム６４１、６４２、６４３、６４４はそれぞれ書き
込み期間と保持期間とを含む。発光するための信号を与えられた発光素子は、保持期間に
おいて発光状態となっている。第２のサブフレーム６１１、６１２、６１３、６１４のそ
れぞれにおける保持期間の長さの比は、第２のサブフレーム６１１ｂ：第２のサブフレー
ム６１２ｂ：第２のサブフレーム６１３ｂ：第２のサブフレーム６１４ｂ＝２3：２2：２
1：２0＝８：４：２：１となっている。第２のサブフレーム６２１、６２２、６２３、６
２４のそれぞれにおける保持期間の長さの比は、第２のサブフレーム６２１ｂ：第２のサ
ブフレーム６２２ｂ：第２のサブフレーム６２３ｂ：第２のサブフレーム６２４ｂ＝２3
：２2：２1：２0＝８：４：２：１となっている。第２のサブフレーム６３１、６３２、
６３３、６３４のそれぞれにおける保持期間の長さの比は、第２のサブフレーム６３１ｂ
：第２のサブフレーム６３２ｂ：第２のサブフレーム６３３ｂ：第２のサブフレーム６３
４ｂ＝２3：２2：２1：２0＝８：４：２：１となっている。第２のサブフレーム６４１、
６４２、６４３、６４４のそれぞれにおける保持期間の長さの比は、第２のサブフレーム
６４１ｂ：第２のサブフレーム６４２ｂ：第２のサブフレーム６４３ｂ：第２のサブフレ
ーム６４４ｂ＝２3：２2：２1：２0＝８：４：２：１となっている。これによって４ビッ
ト階調を表現することができる。但し、ビット数及び階調数はここに記すものに限定され
ず、例えば８つの第２のサブフレームを設け８ビット階調を行えるようにしてもよいし、
または、４ビット階調を４以上の第２のサブフレームによって表してもよい。
【００３９】
先ず第１のサブフレーム６０１における動作について説明する。なお、第１のサブフレ
ーム６０１において、第２のサブフレーム６１１には書き込み期間６１１ａと保持期間６
１１ｂとが含まれ、第２のサブフレーム６１２には書き込み期間６１２ａと保持期間６１
２ｂとが含まれ、第２のサブフレーム６１３には書き込み期間６１３ａと保持期間６１３
ｂとが含まれ、第２のサブフレーム６１４には書き込み期間６１４ａと保持期間６１４ｂ
がそれぞれ含まれている。まず、第２のサブフレーム６１１において、１行目から最終行
まで順に書き込み動作が行われる。従って、行によって書き込み期間の開始時間が異なる
。書き込み期間６１１ａが終了した後に保持期間６１１ｂへと移る。当該保持期間におい
て、発光するための信号を与えられている発光素子は発光状態となる。また、保持期間６
１１ｂが終了した後に次の第２のサブフレーム６１２へ移り、第２のサブフレーム６１１
の場合と同様に１行目から最終行まで順に書き込み動作が行われた後、保持期間に移る。
以上のような動作を繰り返し、第２のサブフレーム６１４の保持期間迄終了する。以上よ
うにして第１のサブフレーム６０１を終了したら次の第１のサブフレーム６０２へ移る。
第１のサブフレーム６０２においても第１のサブフレーム６０１と同様に、第２のサブフ
レーム６２１から第２のサブフレーム６２４まで書き込み期間と保持期間とを繰り返す。
なお、図５（Ｃ）に示すように、第１のサブフレーム６０２において、第２のサブフレー
ム６２１には書き込み期間６２１ａと保持期間６２１ｂとが含まれ、第２のサブフレーム
６２２には書き込み期間６２２ａと保持期間６２２ｂとが含まれ、第２のサブフレーム６
２３には書き込み期間６２３ａと保持期間６１３ｂとが含まれ、第２のサブフレーム６２
４には書き込み期間６２４ａと保持期間６２４ｂがそれぞれ含まれている。また、図１１
（Ａ）に示すように、第１のサブフレーム６０３において、第２のサブフレーム６３１に
は書き込み期間６３１ａと保持期間６３１ｂとが含まれ、第２のサブフレーム６３２には
書き込み期間６３２ａと保持期間６３２ｂとが含まれ、第２のサブフレーム６３３には書
き込み期間６３３ａと保持期間６３３ｂとが含まれ、第２のサブフレーム６３４には書き
込み期間６３４ａと保持期間６３４ｂがそれぞれ含まれている。また、図１１（Ｂ）に示
すように、第１のサブフレーム６０４において、第２のサブフレーム６４１には書き込み
期間６４１ａと保持期間６４１ｂとが含まれ、第２のサブフレーム６４２には書き込み期
間６４２ａと保持期間６４２ｂとが含まれ、第２のサブフレーム６４３には書き込み期間
６４３ａと保持期間６４３ｂとが含まれ、第２のサブフレーム６４４には書き込み期間６
４４ａと保持期間６４４ｂがそれぞれ含まれている。第１のサブフレーム６０３において
も第１のサブフレーム６０１と同様に、第２のサブフレーム６３１から第２のサブフレー
ム６３４まで書き込み期間と保持期間とを繰り返す。第１のサブフレーム６０４において
も第１のサブフレーム６０１と同様に、第２のサブフレーム６４１から第２のサブフレー
ム６４４まで書き込み期間と保持期間とを繰り返す。このように、第１のサブフレーム６
０１，６０２、６０３、６０４のそれぞれにおいて発光した時間の積算時間が、１フレー
ムにおける各々の発光素子の発光時間となる。なお、本形態では、第１のサブフレーム６
０１において赤色の発光色を呈する発光素子４０３ａが発光し、第１のサブフレーム６０
２において緑色の発光色を呈する発光素子４０３ｂが発光し、第１のサブフレーム６０３
において青色の発光色を呈する発光素子４０３ｃが発光し、第１のサブフレーム６０４に
おいて白色の発光色を呈する発光素子４０３ｄが発光する。そして、それぞれの発光素子
の輝度は、第１のサブフレーム６０１、６０２、６０３、６０４のそれぞれにおいて発光
した積算時間によって決まる。
【００４０】
なお、本形態では全ての行の書き込み期間が終了した後に保持期間に移っているが、こ
れに限らず、書き込み期間が終了した行から順に保持期間に移ってもよい。さらに、本形
態では全ての行の保持期間が終了した後に次の第２のサブフレームの書き込み期間に移っ
ているが、保持期間が終了した行から順に次の第２のサブフレームの書き込み期間に移っ
てもよい。その場合、１行目の書き込み期間から最終行までの書き込み期間を含めた書き
込み期間よりも保持期間が長いサブフレームにおいては、保持期間の後に消去期間を設け
、強制的に非発光の状態となるように制御してもよい。これによって、第２のサブフレー
ムの書き込み期間とその次の第２のサブフレームの書き込み期間とが重畳することを防ぐ
ことができる。
【００４１】
なお、本実施の形態では、第２のサブフレーム６１１〜６１４、６２１〜６２４、６３
１〜６３４、６４１〜６４４は保持期間の長いものから順に並んでいるが、必ずしも本実
施例のような並びにする必要はなく、例えば保持期間の短いものから順に並べられていて
もよいし、または保持期間の長いものと短いものとがランダムに並んでいてもよい。
【００４２】
次に、書き込み期間における画素の駆動について説明する。書き込み期間において、ｎ
行目（ｎは自然数）のゲート信号線４１１が選択され、ゲート信号線４１１に接続したス
イッチング用トランジスタ４０１がオンになる。この時、１列目から最終列目迄のソース
信号線に同時に映像信号が入力される。なお、各列のソース信号線４１２から入力される
映像信号は互いに独立したものである。ソース信号線４１２から入力された映像信号は、
各々のソース信号線に接続したスイッチング用トランジスタ４０１を介して駆動用トラン
ジスタ４０２ａ、４０２ｂ、４０２ｃ、４０２ｄのゲート電極に入力される。この時駆動
用トランジスタ４０２ａ、４０２ｂ、４０２ｃ、４０２ｄに入力された信号と、発光素子
４０３ａ、４０３ｂ、４０３ｃ、４０３ｄのそれぞれに含まれる第１の電極と第２の電極
との間の電位差に応じて発光素子４０３ａ、４０３ｂ、４０３ｃ、４０３ｄの発光・非発
光が決まる。例えば、駆動用トランジスタがＰチャネル型である場合は、Ｌｏｗ  Ｌｅｖ
ｅｌの信号が入力されることによって発光素子４０３ａ、４０３ｂ、４０３ｃ、４０３ｄ
のいずれかが発光する。一方、駆動用トランジスタがＮチャネル型である場合は、Ｈｉｇ
ｈ  Ｌｅｖｅｌの信号が入力されることによって発光素子４０３ａ、４０３ｂ、４０３ｃ
、４０３ｄのいずれかが発光する。
【００４３】
ソース信号線への書き込みが終了すると共に、ｎ行目（ｎは自然数）における書き込み
期間は終了し保持期間へと移る。次に、ｎ＋１行目が書き込み期間になり、上記と同様の
書き込み動作が行われる。以上のような動作を繰り返して１行目から最終行まで書き込み
動作が行われる。
【００４４】
以上のように、発光素子４０３ａ、４０３ｂ、４０３ｃが順に発光し、残像効果によっ
て各々の発光素子からの発光色が視覚的に混合されることによって、様々な表示色を得る
ことができる。なお、発光素子４０３ａ、４０３ｂ、４０３ｃのそれぞれの発光素子の発
光時間を変えることによって輝度が調節された発光を、適宜組み合わせ、所望の表示色を
得ることができる。また、白色を呈する発光素子４０３ｄが発光することによって、表示
色の輝度が、見かけ上、高くなったように視認される。従って、発光素子４０３ａ、４０
３ｂ、４０３ｃの発光時間を長くすることによりそれぞれの発光色の輝度を高くする方法
を用いて表示色の輝度を高くする場合よりも、発光素子４０３ａ、４０３ｂ、４０３ｃに
掛かる負担を低減することができる。その結果、発光素子４０３ａ、４０３ｂ、４０３ｃ
を長寿命化することができる。また、白色を呈する発光素子４０３ｄが発光することによ
って、以上に説明した発光装置は、コントラストの高い画像を表示させることができる。
【００４５】
なお、本実施の形態では、発光素子４０３ａ、４０３ｂ、４０３ｃの全てが発光する態
様について説明したが、これに限らず、例えば発光素子４０３ａと発光素子４０３ｂとを
発光、発光素子４０３ｃを非発光として所望の表示色を得てもよし、または、また発光素
子４０３ａ、４０３ｂ、４０３ｃのいずれか一を発光するようにして所望の表示色を得て
もよい。また、輝度が低い表示色を得たい場合は必ずしも白色を呈する発光素子４０３ｄ
を発光させる必要はなく、一連の表示動作において白色を呈する発光素子４０３ｄを発光
させるタイミング、時間等については適宜調節すればよい。
【００４６】
（実施の形態４）
本実施の形態では、実施の形態２で説明したものと異なる本発明の発光装置およびその
駆動方法について説明する。
【００４７】
図６は、本発明の発光装置に含まれる画素７２０の回路構成を表した図である。
スイッチング用トランジスタ７０１、駆動用トランジスタ７０２ａ、７０２ｂ、７０２
ｃは、それぞれ、ゲート電極と、ドレイン領域と、ソース領域とを含む三端子の素子であ
り、ドレイン領域とソース領域の間にチャネル領域を有する。ここで、ソース領域とドレ
イン領域とは、トランジスタの構造や動作条件等によって、いずれがソース領域またはド
レイン領域であるかを限定することが困難であるため、一方を第１の電極、他方を第２の
電極として表記する。ここで、スイッチング用トランジスタとは、駆動用トランジスタへ
の映像信号の入力を制御するトランジスタである。また、駆動用トランジスタとは、入力
された映像信号に依存して、電流供給線からの電流の供給を制御するし、発光素子の発光
・非発光を決定するトランジスタである。なお、スイッチング用トランジスタ７０１、駆
動用トランジスタ７０２ａ、７０２ｂ、７０２ｃのそれぞれについて、特に限定はなく、
ＭＯＳ型トランジスタの他、有機化合物から成る半導体層を含む有機薄膜トランジスタ等
を用いることができる。また、スイッチング用トランジスタ７０１は、Ｎチャネル型また
はＰチャネル型のいずれでも構わない。また、駆動用トランジスタ７０２ａ、７０２ｂ、
７０２ｃは、Ｎチャネル型またはＰチャネル型のいずれでも構わないが、図６に示した例
によると、共通の映像信号によって制御されるため、同極性であることが好ましい。
。
【００４８】
また、発光素子７０３ａ、７０３ｂ、７０３ｃは、それぞれ、二端子の素子である。発
光素子７０３ａ、７０３ｂ、７０３ｃは、それぞれ、第１の電極と第２の電極との間に発
光層を有し、第１の電極と第２の電極との間の電位差によって電流が流れたときに発光す
る。なお、駆動用トランジスタ７０２ａ、７０２ｂ、７０２ｃがＰチャネル型であるとき
、発光素子７０３ａ、７０３ｂ、７０３ｃ、において、第１の電極は陽極として機能し、
第２の電極は陰極として機能する。一方、駆動用トランジスタ７０２ａ、７０２ｂ、７０
２ｃがＮチャネル型であるとき、発光素子７０３ａ、７０３ｂ、７０３ｃにおいて、第１
の電極は陰極として機能し、第２の電極は陽極として機能する。発光素子７０３ａ、７０
３ｂ、７０３ｃの発光色について特に限定はないが、それぞれ異なる発光色を呈しするこ
とが好ましい。また、いずれか一の発光素子が白色を呈するか、または少なくとも二の発
光素子からの発光を組み合わせて白色の発光を呈することができることが特に好ましい。
発光素子７１３ａは、発光が発光装置外部に取り出されたときに赤色の発光色を呈し、発
光素子７１３ｂは、発光が発光装置外部に取り出されたときに緑色の発光色を呈し、発光
素子７１３ｃは、発光が発光装置外部に取り出されたときに青色の発光色を呈する。ここ
で、赤色の発光色とは、ＣＩＥ−ＸＹＺ表色系で表したときに、色度図のｘが０．６以上
、ｙが０．３５以下の領域に座標を有する色をいう。また、緑色の発光色とは、ＣＩＥ−
ＸＹＺ表色系で表したときに、色度図のｘが０．３以下、ｙが０．６以上の領域に座標を
有する色をいう。青色の発光色とは、ＣＩＥ−ＸＹＺ表色系で表したときに、色度図のｘ
が０．１５以下、ｙが０．２以下の領域に座標を有する色をいう。なお、ＣＩＥ−ＸＹＺ
表色系とは三刺激値Ｘ、Ｙ、Ｚに基づく表色系である。色度図は、三刺激値Ｘ、Ｙ、Ｚに
基づいてｘ、ｙ座標空間で色を表したものである。なお、色度とは、明度を除いた光の色
の種別を数量的に規定したものである。
【００４９】
スイッチング用トランジスタ７０１において、ゲート電極はゲート信号線７１１と電気
的に接続し、第１の電極はソース信号線７１２と電気的に接続している。また、発光素子
７０３ａ、７０３ｂ、７０３ｃはそれぞれ直列に接続している。そして、駆動用トランジ
スタ７０２ａにおいて、第１の電極は電流供給線７１３ａと電気的に接続し、第２の電極
は発光素子７０３ａの第１の電極と電気的に接続している。駆動用トランジスタ７０２ｂ
において、第１の電極は電流供給線７１３ｂと電気的に接続し、第２の電極は発光素子７
０３ｂの第１の電極と電気的に接続している。また、駆動用トランジスタ７０２ｃにおい
て、第１の電極は電流供給線７１３ｃと電気的に接続し、第２の電極は発光素子７０３ｃ
の第１の電極と電気的に接続している。なお、発光素子７０３ｃの第２の電極は、電源７
１６と電気的に接続している。駆動用トランジスタ７０２ａ、７０２ｂ、７０２ｃのそれ
ぞれのゲート電極は、互いに電気的に接続している。さらに、駆動用トランジスタ７０２
ａ、７０２ｂ、７０２ｃのそれぞれのゲート電極と容量線７１５との間には、容量素子７
０４が設けられており、駆動用トランジスタ７０２ａ、７０２ｂ、７０２ｃのゲート電極
の電位をそれぞれ保持できるようになっている。また、スイッチング用トランジスタ７０
１の第２の電極は、駆動用トランジスタ７０２ａ、７０２ｂ、７０２ｃのそれぞれのゲー
ト電極と電気的に接続している。
【００５０】
以上のような回路の駆動方法について説明する。
【００５１】
ゲート信号線７１１が選択されると、スイッチング用トランジスタ７０１がＯＮ状態と
なり、スイッチング用トランジスタ７０１を介してソース信号線７１２から駆動用トラン
ジスタ７０２ａ、７０２ｂ、７０２ｃのゲート電極へ、映像信号が入力される。ここで、
スイッチング用トランジスタ７０１がＮチャネル型トランジスタであり、駆動用トランジ
スタ７０２ａ、７０２ｂ、７０２ｃがＰチャネル型トランジスタであるとき、映像信号の
電位がＬｏｗ  Ｌｅｖｅｌであれば駆動用トランジスタ７０２ａ、７０２ｂ、７０２ｃは
ＯＮ状態となり、映像信号がＨｉｇｈ  Ｌｅｖｅｌであれば駆動用トランジスタ７０２ａ
、７０２ｂ、７０２ｃはＯＦＦ状態となる。さらに、電流供給線７１３ａと電流供給線７
１３ｂとをそれぞれ異なる電位としたとき、発光素子７０３ａにおいて、第１の電極と第
２の電極との間に電位差が生じる。これにより、発光素子７０３ａに電流が流れ、発光素
子７０３ａは発光する。また、電流供給線７１３ｂと電流供給線７１３ｃとをそれぞれ異
なる電位としたとき、発光素子７０３ｂにおいて第１の電極と第２の電極との間に電位差
が生じる。これにより、発光素子７０３ｂに電流が流れ、発光素子７０３ｂは発光する。
また、電流供給線７１３ｃと電源７１６とをそれぞれ異なる電位としたとき、発光素子７
０３ｃにおいて第１の電極と第２の電極との間に電位差が生じる。これにより、発光素子
７０３ｃに電流が流れ、発光素子７０３ｃは発光する。また、電流供給線７１３ａと電流
供給線７１３ｂ、電流供給線７１３ｂと電流供給線７１３ｃ、電流供給線７１３ｃと電源
７１６とをそれぞれ同時に異なる電位とし、発光素子７０３ａ、７０３ｂ、７０３ｃのそ
れぞれにおいて、第１の電極と第２の電極との間に電位差が生じたとき、発光素子７０３
ａ、７０３ｂ、７０３ｃは同時に発光する。以上のようにして、発光素子７０３ａ、７０
３ｂ、７０３ｃを発光させることができる。なお、発光素子７０３ａ、７０３ｂ、７０３
ｃが同時に発光することによって白色の発光を得ることができる。ここで、白色の発光色
とは、ＣＩＥ−ＸＹＺ表色系で表したときに、色度図のｘが０．２５以上０．３５以下、
ｙが０．２５以上０．３５以下の領域、好ましくは色度図のｘが０．２８以上０．３２以
下、ｙが０．２８以上０．３２以下の領域に座標を有する色をいう。
【００５２】
次に、以上に説明したような構成の回路を用いた発光装置の駆動方法について説明する
。
なお、本形態においても、発光装置は、図２の模式図のような構成となっている。
画素部６５１１には、列方向に延びた複数のソース信号線７１２が行方向に並んで配列
している。また、電流供給線７１３ａ、７１３ｂ、７１３ｃを一組とした電流供給線７１
３が行方向に並んで配列している。また、行方向に延びた複数のゲート信号線７１１が列
方向に並んで配列している。そして、画素部６５１１には、図６を用いてで説明したもの
と同様の構成の回路が含まれている。ゲート信号線７１１と、ソース信号線７１２、電流
供給線７１３、電源７１６、スイッチング用トランジスタ７０１、駆動用トランジスタ７
０２ａ、７０２ｂ、７０２ｃ、発光素子７０３ａ、７０３ｂ、７０３ｃと容量素子７０４
とを含む図６の回路が、縦方向および横方向に複数、配列している。
【００５３】
発光素子７０３ａ、７０３ｂ、７０３ｃのそれぞれの発光色について特に限定はない。
なお、本形態では、発光素子７０３ａは赤色の発光色を呈し、発光素子７０３ｂは緑色の
発光色を呈し、発光素子７０３ｃは青色の発光色を呈する。なお、赤色、緑色、青色とは
、それぞれ実施の形態１で説明したものと同様である。
【００５４】
次に、駆動方法について説明する。図７は時間経過に伴ったフレームの動作について説
明する図であり、図７において、横方向は時間経過を表し、縦方向はゲート信号線の走査
段数を表している。
【００５５】
本発明の発光装置を用いて画像表示を行うとき、表示期間においては、画面の書き換え
動作と表示動作とが繰り返し行われる。この書き換え回数について特に限定はないが、画
像をみる人がちらつき（フリッカ）を感じないように１秒間に６０回とすることが好まし
い。ここで、一画面（１フレーム）の書き換え動作と表示動作を行う期間を１フレーム期
間という。
【００５６】
１フレームは、書き込み期間８０１ａと保持期間８０１ｂ、書き込み期間８０２ａと保
持期間８０２ｂ、書き込み期間８０３ａと保持期間８０３ｂ、書き込み期間８０４ａと保
持期間８０４ｂとを含む４つのサブフレーム８０１、８０２、８０３、８０４に時分割さ
れている。
【００５７】
まず、サブフレーム８０１において、１行目から最終行まで順に書き込み動作が行われ
る。従って、行によって書き込み期間８０１ａの開始時間が異なる。書き込み期間８０１
ａが終了した後、保持期間８０１ｂへと移る。書き込み期間８０１ａにおいて発光するた
めの信号を与えられた駆動用トランジスタに接続している発光素子は、保持期間８０１ｂ
に発光層を挟む第１の電極と第２の電極との間に異なる電位が与えられたときに発光する
。本形態では、サブフレーム８０１において、発光素子７０３ａに含まれる第１の電極と
第２の電極とにそれぞれ異なる電位が与えられ、発光素子７０３ａが発光する。この時、
その他の発光素子７０３ｂ、７０３ｃのそれぞれに含まれる第１の電極と第２の電極は等
電位となるように電位が与えられている。保持期間８０１ｂ終了した後、次のサブフレー
ム８０２へ移り、サブフレーム８０１の場合と同様に１行目から最終行目まで順に書き込
み動作が行われる。そして、保持期間８０２ｂにおいて発光素子７０３ｂが発光する。サ
ブフレーム８０２において保持期間８０２ｂが終了した後、サブフレーム８０３へ移る。
サブフレーム８０３では、発光素子７０３ｃが発光する。サブフレーム８０３において保
持期間８０３ｂが終了した後、サブフレーム８０４へ移る。サブフレーム８０４では発光
素子７０３ａ、７０３ｂ、７０３ｃが同時に、同じ強度となるように発光する。以上のよ
うな動作を繰り返し、サブフレーム８０４の保持期間８０４ｂ迄終了する。サブフレーム
８０４における動作を終了したら次のフレームへ移る。なお、本形態では、発光素子７０
３ａ、７０３ｂ、７０３ｃの順に発光させるが、発光する順について特に限定はなく、適
宜順番を変えて発光させればよい。
【００５８】
次に、書き込み期間における画素の駆動について説明する。書き込み期間において、ｎ
行目（ｎは自然数）のゲート信号線７１１が選択され、ゲート信号線７１１に接続したス
イッチング用トランジスタ７０１がオンになる。この時、１列目から最終列目迄のソース
信号線に同時に映像信号が入力される。なお、各列のソース信号線７１２から入力される
映像信号は互いに独立したものである。ソース信号線７１２から入力された映像信号は、
各々のソース信号線に接続したスイッチング用トランジスタ７０１を介して駆動用トラン
ジスタ７０２ａ、７０２ｂ、７０２ｃのゲート電極に入力される。この時、駆動用トラン
ジスタ７０２ａ、７０２ｂ、７０２ｃに入力された信号と、発光素子７０３ａ、７０３ｂ
、７０３ｃのそれぞれに含まれる第１の電極と第２の電極との間の電位差に応じて発光素
子７０３ａ、７０３ｂ、７０３ｃの発光・非発光が決まる。例えば、駆動用トランジスタ
がＰチャネル型である場合は、Ｌｏｗ  Ｌｅｖｅｌの信号が入力されることによって発光
素子７０３ａ、７０３ｂ、７０３ｃのいずれかが発光する。一方、駆動用トランジスタが
Ｎチャネル型である場合は、Ｈｉｇｈ  Ｌｅｖｅｌの信号が入力されることによって発光
素子７０３ａ、７０３ｂ、７０３ｃの少なくとも一が発光する。
【００５９】
ソース信号線への書き込みが終了すると共に、ｎ行目（ｎは自然数）における書き込み
期間は終了し保持期間へと移る。次に、ｎ＋１行目が書き込み期間になり、上記と同様の
書き込み動作が行われる。以上のような動作を繰り返して１行目から最終行まで書き込み
動作が行われる。
【００６０】
以上のように、発光素子７０３ａ、７０３ｂ、７０３ｃが順に発光し、残像効果によっ
て各々の発光素子からの発光色が視覚的に混合されることによって、様々な表示色を得る
ことができる。なお、発光素子７０３ａ、７０３ｂ、７０３ｃのそれぞれの発光素子に掛
かる電圧を変えることによって輝度が調節された発光を、適宜組み合わせ、所望の表示色
を得ることができる。また、発光素子７０３ａ、７０３ｂ、７０３ｃが同時に同じ強度で
発光することによって白色発光をすることによって、表示色の輝度が、見かけ上、高くな
ったように視認される。従って、発光素子７０３ａ、７０３ｂ、７０３ｃに掛かる電圧を
大きくすることによりそれぞれの発光色の輝度を高くする方法を用いて表示色の輝度を高
くする場合よりも、発光素子７０３ａ、７０３ｂ、７０３ｃに掛かる負担を低減すること
ができる。その結果、発光素子７０３ａ、７０３ｂ、７０３ｃを長寿命化することができ
る。また、白色を呈することによって、以上に説明した発光装置は、コントラストの高い
画像を表示させることができる。
【００６１】
なお、本実施の形態では、発光素子７０３ａ、７０３ｂ、７０３ｃの全てが発光する態
様について説明したが、これに限らず、例えば発光素子７０３ａと発光素子７０３ｂとを
発光、発光素子７０３ｃを非発光として所望の表示色を得てもよし、または、また発光素
子７０３ａ、７０３ｂ、７０３ｃのいずれか一を発光するようにして所望の表示色を得て
もよい。また、輝度が低い表示色を得たい場合は必ずしも発光素子７０３ａ、７０３ｂ、
７０３ｃを用いて白色の発光させる必要はなく、一連の表示動作において白色を発光させ
るタイミング、輝度等については適宜調節すればよい。
【００６２】
（実施の形態５）
実施の形態１で説明した構成を有する画素の上面図を図８に、図８における破談線ａ−
ａ'で表される部位の断面図を図９に示す。
【００６３】
図８において、３０１、３０２ａ、３０２ｂ、３０２ｃ、３０２ｄ、３０４、３１１，
３１２、３１３ａ、３１３ｂ、３１３ｃ、３１３ｄ、３１５の各符号は、図１に付したも
のとそれぞれ同様のものを表す。
スイッチング用トランジスタ３０１と駆動用トランジスタ３０２ａ、３０２ｂ、３０２
ｃ、３０２ｄのゲート電極とは、ソース信号線３１２と同じ層で形成された配線を介して
接続している。
【００６４】
駆動用トランジスタ３０２ａは、図９に示すように、半導体層９０３ａとゲート絶縁層
９０４とゲート電極９０５とが積層して構成されている。また、駆動用トランジスタ３０
２ｂは、図９に示すように、半導体層９０３ｂとゲート絶縁層９０４とゲート電極９０５
とが積層して構成されている。
【００６５】
図８に示すようにゲート電極９０５と重畳して容量線３１５が設けられている。図９に
示すようにゲート電極９０５と容量線３１５との間には絶縁層９０６を有し、容量素子３
０４を構成している。
【００６６】
半導体層９０３ａと電流供給線３１３ａとは、絶縁層９０６を貫通している接続部を介
して接続している。また、発光素子の電極９０８は、電流供給線３１３ａ等と同じ層に設
けられ、絶縁層９０６を貫通している接続部９０７ａを介して半導体層９０３ａと接続し
ている。このような構成とすることによって、駆動用トランジスタ３０２ａは、電流供給
線３１３ａ、発光素子の電極９０８のそれぞれと電気的に接続される。
【００６７】
半導体層９０３ｂと電流供給線３１３ｂとは、絶縁層９０６を貫通している接続部を介
して接続している。また、発光素子の電極９０９は、絶縁層９０６を貫通している接続部
９０７ｂを介して半導体層９０３ｂと接続している。このような構成とすることによって
、駆動用トランジスタ３０２ｂは、電流供給線３１３ｂ、発光素子の電極９０９のそれぞ
れと電気的に接続される。なお、発光素子の電極９０９は電流供給線３１３ａ等を覆い、
開口部を有する絶縁層９１７上に設けられている。
【００６８】
発光素子の電極９０８と発光素子の電極９０９との間には発光層９１３が設けられてい
る。また、発光素子の電極９０９上には発光層９１４、発光素子の電極９１０、発光層９
１５、発光素子の電極９１１、発光層９１６、発光素子の電極９１２が順に積層されてい
る。そして、発光素子の電極９０８と発光層９１３と発光素子の電極９０９とから成る第
１の発光素子と、発光素子の電極９０９と発光層９１４と発光素子の電極９１０とから成
る第２の発光素子と、発光素子の電極９１０と発光層９１５と発光素子の電極９１１とか
ら成る第３の発光素子と、発光素子の電極９１１と発光層９１６と発光素子の電極９１２
とから成る第４の発光素子をそれぞれ構成している。なお、発光素子の電極９０８，９０
９、９１０、９１１、９１２は、それぞれ、開口部を有する絶縁層９１８、９１９、９２
０を間に挟んで、異なる層に設けられている。そして、第１の発光素子、第２の発光素子
、第３の発光素子、第４の発光素子は、それぞれ、絶縁層９１７、９１８、９１９、９２
０の開口部に設けられている。
【００６９】
ここで、発光素子の電極９０９、９１０、９１１は、実施の形態１で記載した発光素子
における第１の電極と第２の電極との両方を兼ねている。例えば、発光素子の電極９０９
は第１の発光素子に対しては第２の電極として機能し、第２の発光素子に対しては第１の
電極として機能する。また、発光素子の電極９１２は、第４の発光素子に対する第２の電
極としての機能と、実施の形態１で記載し電源３１６としての機能を兼ねている。また、
図８では、発光素子の電極９０８，９０９、９１０、９１１の大きさはそれぞれ異なり、
順に小さくなるように描かれているが、これはそれぞれの電極が異なる層に設けられてい
ることを示すために便宜的に表したものであり、発光素子の電極９０８，９０９、９１０
、９１１の大きさを限定するものではない。
【００７０】
なお、スイッチング用トランジスタ３０１、駆動用トランジスタ３０２ａ、３０２ｂ、
３０２ｃ、３０２ｄの構造について特に限定はなく、トップゲート型またはボトムゲート
型のいずれでも構わない。また、シングルドレイン構造でもよいし、ＬＤＤ（Ｌｉｇｈｔ
ｌｙ  Ｄｏｐｅｄ  Ｄｒａｉｎ）構造でもよい。また、シングルゲート構造でもよいし、
マルチゲート構造でもよい。また、スイッチング用トランジスタ３０１、駆動用トランジ
スタ３０２ａ、３０２ｂ、３０２ｃ、３０２ｄのそれぞれに含まれる半導体層の結晶性に
ついても特に限定はなく、非晶質、または結晶質、または結晶質と非晶質との両方を含む
もの、セミアモルファスなのもののいずれでも構わない。ここで、セミアモルファスな半
導体とは、次のようなものである。非晶質と結晶構造（単結晶、多結晶を含む）の中間的
な構造を有し、自由エネルギー的に安定な第３の状態を有する半導体であって、短距離秩
序を持ち格子歪みを有する結晶質な領域を含んでいるものである。また少なくとも膜中の
一部の領域には、０．５〜２０nmの結晶粒を含んでいる。ラマンスペクトルが５２０ｃｍ
-1よりも低波数側にシフトしている。Ｘ線回折ではＳｉ結晶格子に由来するとされる（１
１１）、（２２０）の回折ピークが観測される。未結合手（ダングリングボンド）の中和
剤として水素またはハロゲンを少なくとも１原子％またはそれ以上含ませている。所謂微
結晶半導体（マイクロクリスタル半導体）とも言われている。珪化物気体をグロー放電分
解（プラズマＣＶＤ）して形成する。珪化物気体としては、ＳｉＨ4、その他にもＳｉ2Ｈ
6、ＳｉＨ2Ｃｌ2、ＳｉＨＣｌ3、ＳｉＣｌ4、ＳｉＦ4などを用いることができる。この珪
化物気体をＨ2、又は、Ｈ2とＨｅ、Ａｒ、Ｋｒ、Ｎｅから選ばれた一種または複数種の希
ガス元素で希釈しても良い。希釈率は２〜１０００倍の範囲。圧力は概略０．１Ｐａ〜１
３３Ｐａの範囲、電源周波数は１ＭＨｚ〜１２０ＭＨｚ、好ましくは１３ＭＨｚ〜６０Ｍ
Ｈｚ。基板加熱温度は３００℃以下でよく、好ましくは１００〜２５０℃。膜中の不純物
元素として、酸素、窒素、炭素などの大気成分の不純物は１×１０20/cm3以下とすること
が望ましく、特に、酸素濃度は５×１０19/cm3以下、好ましくは１×１０19/cm3以下とす
る。なお、セミアモルファスなものを有する半導体を用いたＴＦＴ（薄膜トランジスタ）
の移動度はおよそ１〜１０ｍ2/Vsecとなる。
【００７１】
また、発光層９１３、９１４、９１５、９１６についても特に限定はなく、単層または
多層のいずれでも構わない。また、発光層を構成する物質についても特に限定はない。ま
た、本形態では、発光層９１３は赤色の発光を、発光層９１４は緑色の発光を、発光層９
１５は青色の発光を、発光層９１６は白色の発光を、それぞれ呈するが、各発光素子の発
光色はこれに限定されるものではない。
【００７２】
赤色に発光する発光層９１３を形成するには、例えば、４−ジシアノメチレン−２−メ
チル−６−［２−(１,１,７,７−テトラメチル−９−ジュロリジルエテニル) ］−４Ｈ−
ピラン（略称：ＤＣＪＴ）、４−ジシアノメチレン−２−ｔ−ブチル−６−［２−(１,１
,７,７−テトラメチルジュロリジン−９-イルエテニル)］ −４Ｈ−ピラン（略称：ＤＣ
ＪＴＢ）やペリフランテン、２,５−ジシアノ−１,４−ビス［２−(１０−メトキシ−１,
１,７,７−テトラメチルジュロリジン−９−イルエテニル)］ベンゼン等を含む発光層と
すればよい。この他、金属錯体等の励起三重項状態からの発光を得られる物質を用いても
構わない。
【００７３】
また、緑色に発光する発光層９１４を形成するには、Ｎ,Ｎ'−ジメチルキナクリドン（
略称：ＤＭＱｄ）、クマリン６やクマリン５４５Ｔ、トリス(８−キノリノラト)アルミニ
ウム（略称：Ａｌｑ）等を含む発光層とすればよい。この他、金属錯体等の励起三重項状
態からの発光を得られる物質を用いても構わない。
【００７４】
また、青色に発光する発光層９１５を形成するには、９,９'−ビアントリル、９,１０
−ジフェニルアントラセン（略称：ＤＰＡ）や９,１０−ビス(２−ナフチル)アントラセ
ン（略称：ＤＮＡ）等を含む発光層とすればよい。この他、金属錯体等の励起三重項状態
からの発光を得られる物質を用いても構わない。
【００７５】
なお、発光層９１３、９１４、９１５、９１６の一部には、キャリア（電子・正孔）輸
送性の高い物質から成る層を設けてもよい。これによって、発光部位が電極と近接するこ
とによって生じ得る消光を防止することができる。
ここで電子輸送性の高い物質としては、例えばトリス（８−キノリノラト）アルミニウ
ム（略称：Ａｌｑ3）、トリス（５−メチル−８−キノリノラト）アルミニウム（略称：
Ａｌｍｑ3）、ビス（１０−ヒドロキシベンゾ［h］−キノリナト）ベリリウム（略称：Ｂ
ｅＢｑ2）、ビス（２−メチル−８−キノリノラト）−４−フェニルフェノラト−アルミ
ニウム（略称：ＢＡｌｑ）など、キノリン骨格またはベンゾキノリン骨格を有する金属錯
体等が挙げられる。また正孔輸送性の高い物質としては、例えば４，４'−ビス［Ｎ−（
１−ナフチル）−Ｎ−フェニル−アミノ］−ビフェニル（略称：α−ＮＰＤ）や４，４'
−ビス［Ｎ−（３−メチルフェニル）−Ｎ−フェニル−アミノ］−ビフェニル（略称：Ｔ
ＰＤ）や４，４'，４''−トリス（Ｎ，Ｎ−ジフェニル−アミノ）−トリフェニルアミン
（略称：ＴＤＡＴＡ）、４，４'，４''−トリス［Ｎ−（３−メチルフェニル）−Ｎ−フ
ェニル−アミノ］−トリフェニルアミン（略称：ＭＴＤＡＴＡ）などの芳香族アミン系（
即ち、ベンゼン環−窒素の結合を有する）の化合物が挙げられる。
【００７６】
また、発光層９１３、９１４、９１５、９１６の一部には、発光素子の電極から発光層
９１３、９１４、９１５、９１６への電子または正孔の注入を補助するための層を設けて
もよい。
【００７７】
電子注入性を補助できる物質としては、フッ化リチウム（ＬｉＦ）、フッ化セシウム（
ＣｓＦ）、フッ化カルシウム（ＣａＦ2）等のようなアルカリ金属又はアルカリ土類金属
の化合物が挙げられる。また、この他、Ａｌｑ3のような電子輸送性の高い物質とマグネ
シウム（Ｍｇ）のようなアルカリ土類金属との混合物であってもよい。また、正孔の注入
を補助できる物質としては、例えば、モリブデン酸化物（ＭｏＯｘ）やバナジウム酸化物
（ＶＯｘ）、ルテニウム酸化物（ＲｕＯｘ）、タングステン酸化物（ＷＯｘ）、マンガン
酸化物（ＭｎＯｘ）等の金属酸化物が挙げられる。また、この他、フタロシアニン（略称
：Ｈ2Ｐｃ）や銅フタロシアニン（ＣｕＰＣ）等のフタロシアニン系の化合物が挙げられ
る。また、正孔注入性が高く正孔輸送性も高い物質であるポリスチレンスルフォン酸（Ｐ
ＳＳ）とポリエチレンジオキシチオフェン（ＰＥＤＯＴ）とを混合した高分子材料等を用
いてもよい。
【００７８】
なお、高分子系有機発光材料は低分子系に比べて物理的強度が高く、素子の耐久性が高
い。また塗布により成膜することが可能であるので、素子の作製が比較的容易である。
【００７９】
白色に発光する発光層９１６を形成するには、例えば、Ａｌｑ3、部分的にナイルレッ
ドをドープしたＡｌｑ3、Ａｌｑ3、ｐ−ＥｔＴＡＺ、ＴＰＤ（芳香族ジアミン）を蒸着法
により順次積層することで白色を得ることができる。また、スピンコートを用いた塗布法
により発光層を形成する場合には、塗布した後、真空加熱で焼成することが好ましい。例
えば、ポリ（エチレンジオキシチオフェン）／ポリ（スチレンスルホン酸）水溶液（ＰＥ
ＤＯＴ／ＰＳＳ）を全面に塗布、焼成し、その後、色素（１，１，４，４−テトラフェニ
ル−１，３−ブタジエン（ＴＰＢ）、４−ジシアノメチレン−２−メチル−６−（ｐ−ジ
メチルアミノ−スチリル）−４Ｈ−ピラン（ＤＣＭ１）、ナイルレッド、クマリン６など
）をドープしたポリビニルカルバゾール（ＰＶＫ）溶液を全面に塗布、焼成すればよい。
【００８０】
なお、駆動用トランジスタ３０２ａ、３０２ｂ、３０２ｃ、３０２ｄが、それぞれ、Ｐ
チャネル型であるときは、発光層９１３、９１４、９１５、９１６は、ぞれぞれ、発光領
域を中心として、発光素子の電極９０８側に正孔を輸送し易い層が、発光素子の電極９１
２側に電子を輸送しやすい層が設けられて成ることが好ましい。また、駆動用トランジス
タ３０２ａ、３０２ｂ、３０２ｃ、３０２ｄが、それぞれ、Ｎチャネル型であるときは、
発光層９１３、９１４、９１５、９１６は、ぞれぞれ、発光領域を中心として、発光素子
の電極９０８側に電子を輸送し易い層が、発光素子の電極９１２側に正孔を輸送しやすい
層が設けられて成ることが好ましい。
【００８１】
また、発光素子の電極９０９、９１０、９１１は、可視光を透過できる物質で形成する
ことが好ましい。このような物質としては、インジウム錫酸化物、酸化珪素を含むインジ
ウム錫酸化物、酸化インジウムに２〜２０[％]の酸化亜鉛（ＺｎＯ）を混合してなるイン
ジウム亜鉛酸化物、酸化亜鉛に数 [％]の酸化ガリウム（Ｇａ2Ｏ3）を混合して成る亜鉛
ガリウム酸化物等が挙げられるが、これらと異なる物質を用いても構わない。
【００８２】
また、発光素子の電極９０８，９１２は、少なくとも一方が、先に述べたような、可視
光を透過できる物質で形成されていることが好ましい。そして、一方の電極が可視光を透
過できる物質から成るとき、他方の電極は、陰極として機能する場合においては、アルミ
ニウム等の仕事関数の小さい物質で形成することが好ましく、陽極として機能する場合に
おいては、銀等の仕事関数の高い物質で形成することが好ましい。
【００８３】
以上のような構成を有する本発明の発光装置は、白色発光を呈することができる。また
、第１の発光素子と第２の発光素子と第３の発光素子の中の少なくとも一の素子からの発
光によって表示色を形成するときに、白色を呈する第４の発光素子を発光を利用して、表
示色の輝度を、高めることができる。
【００８４】
（実施の形態６）
本発明を適用した発光装置を実装した電子機器の一実施例を図１０に示す。
【００８５】
図１０（Ａ）は、本発明を適用して作製したコンピュータであり、本体５５２１、筐体
５５２２、表示部５５２３、キーボード５５２４などによって構成されている。本発明の
発光装置を表示部として組み込むことでコンピュータを完成できる。なお、コンピュータ
の態様について特に限定はなく、デスクトップ型のものの他ラップトップ型のものでもよ
い。
【００８６】
図１０（Ｂ）は、本発明を適用して作製した携帯電話であり、本体５５５２には表示部
５５５１と、音声出力部５５５４、音声入力部５５５５、操作スイッチ５５５６、５５５
７、アンテナ５５５３等によって構成されている。本発明発光装置を表示部として組み込
むことで携帯電話を完成できる。
【００８７】
図１０（Ｃ）は、本発明を適用して作製したテレビ受像機であり、表示部５５３１、筐
体５５３２、スピーカー５５３３などによって構成されている。本発明の発光装置を表示
部として組み込むことでテレビ受像機を完成できる。
【００８８】
以上のように本発明の発光装置は、各種電子機器の表示部として用いるのに非常に適し
ている。
【００８９】
なお、本形態では、コンピュータについて述べているが、この他に携帯電話、カーナビ
ゲイション、或いは照明機器等に本発明の発光装置を実装しても構わない。
【００９０】
以上ような本発明を適用した電子機器は、本発明の発光装置を表示部として用いている
ことによって、長期間に渡り、劣化の少ない良好な表示画像を得ることができるものであ
る。
【符号の説明】
【００９１】
３０１ スイッチング用トランジスタ
３０２ａ  駆動用トランジスタ
３０２ｂ  駆動用トランジスタ
３０２ｃ  駆動用トランジスタ
３０２ｄ  駆動用トランジスタ
３０３ａ  発光素子
３０３ｂ  発光素子
３０３ｃ  発光素子
３０３ｄ  発光素子
３０４ 容量素子
３１１ ゲート信号線
３１２ ソース信号線
３１３ａ  電流供給線
３１３ｂ  電流供給線
３１３ｃ  電流供給線
３１３ｄ  電流供給線
３１５ 容量線
３１６ 電源
【図１】
0005622795.tif 000002
【図２】
0005622795.tif 000003
【図３】
0005622795.tif 000004
【図４】
0005622795.tif 000005
【図５】
0005622795.tif 000006
【図６】
0005622795.tif 000007
【図７】
0005622795.tif 000008
【図８】
0005622795.tif 000009
【図９】
0005622795.tif 000010
【図１０】
0005622795.tif 000011
【図１１】
0005622795.tif 000012